(57)【要約】【課題】  スピーカの音を良好に放音させることができる鍵盤楽器を提供する。【解決手段】  楽器ケース１と、鍵盤部１０の指示によって音を発する第１スピーカ３０と、鍵盤部１０の上側を開閉自在の鍵盤蓋１６と、を備え、鍵盤蓋１６は、鍵盤部１０を開放させた状態において、第１スピーカ３０から発せられた音が、鍵盤蓋１６の後側に設けられる楽器ケース１内の第１音響空間Ｓ１と、鍵盤蓋１６の前側に設けられる楽器ケース１内の第２音響空間Ｓ２とを介して、楽器ケース１外に放音されるように配置されている。従って、楽器ケース１内に収納された鍵盤蓋１６によって、第１スピーカ３０の楽音を良好に後蓋１９の前側の第２音響空間Ｓ２と後側の第１音響空間Ｓ１とに分けることができるので、第１スピーカ３０の楽音を良好に放音させることができる。【選択図】        図４
2018105928.tif 000002
【特許請求の範囲】
【請求項１】
楽器ケースと、
鍵盤部の指示によって音を発するスピーカと、
前記鍵盤部の上側を開閉自在の鍵盤蓋と、
を備え、
前記鍵盤蓋は、前記鍵盤部を開放させた状態において、前記スピーカから発せられた音が、前記鍵盤蓋の後側に設けられる前記楽器ケース内の第１音響空間を介して前記楽器ケース外に出力するとともに、前記鍵盤蓋の前側に設けられる前記楽器ケース内の第２音響空間を介して前記楽器ケース外に出力するように配置されていることを特徴とする鍵盤楽器。
【請求項２】
楽器ケースと、
鍵盤部の指示によって音を発するスピーカと、
前記鍵盤部の上側を開閉自在の鍵盤蓋と、
を備え、
前記鍵盤蓋は、前記鍵盤部を開放させた状態において、前記スピーカから発せられた音が、前記鍵盤蓋の後側に設けられる前記楽器ケース内の第１音響空間を介して前記楽器ケース外に出力するように配置されていることを特徴とする鍵盤楽器。
【請求項３】
請求項１または請求項２に記載の鍵盤楽器において、前記楽器ケースの上部には、その上方に向けて前記スピーカから発せられた音を出力させる放音孔が、前記第１音響空間の上方に対応して設けられていることを特徴とする鍵盤楽器。
【請求項４】
請求項３に記載の鍵盤楽器において、前記放音孔は、前記楽器ケース外に出力する音に指向性をもたせるディフューザを備えていることを特徴とする鍵盤楽器。
【請求項５】
請求項１〜請求項４のいずれかに記載の鍵盤楽器において、前記第１音響空間は、その下部側から上部側に向かうに従って前後方向の間隔が次第に狭く設けられ、前記放音孔は、その前後方向の間隔が前記第１音響空間の上部側における前後方向の間隔よりも狭く設けられていることを特徴とする鍵盤楽器。
【請求項６】
請求項１〜請求項５のいずれかに記載の鍵盤楽器において、前記鍵盤蓋は、前蓋と後蓋とを備え、前記鍵盤部を開放させた状態において、前記鍵盤蓋の前記後蓋が略垂直状態に配置されると共に、前記鍵盤蓋の前記前蓋が略水平状態に配置されることを特徴とする鍵盤楽器。
【請求項７】
請求項１〜請求項６のいずれかに記載の鍵盤楽器において、前記スピーカは、フルレンジの第１のスピーカと、高音用の第２のスピーカと、を備えていることを特徴とする鍵盤楽器。
【請求項８】
請求項７に記載の鍵盤楽器において、前記第１のスピーカは、前記楽器ケースの底部の下面に上向きに設けられ、前記楽器ケースの前記底部には、前記第１のスピーカの音を前記楽器ケースの内部に取り込む音取込み孔が、前記第１のスピーカに対応して設けられていることを特徴とする鍵盤楽器。
【請求項９】
請求項８に記載の鍵盤楽器において、前記音取込み孔は、前記鍵盤部の下側に位置する前側孔と、前記鍵盤部の後方で前記鍵盤蓋が前記鍵盤部を開放させた状態における前記後蓋の下側に位置する後側孔と、を備えていることを特徴とする鍵盤楽器。
【請求項１０】
請求項７に記載の鍵盤楽器において、前記第２のスピーカは、前記楽器ケースの内部に上向き又は斜め前側上方に向けて傾いて配置されていることを特徴とする鍵盤楽器。
【発明の詳細な説明】
【技術分野】
【０００１】
この発明は、電子ピアノや電子オルガンなどの鍵盤楽器に関する。
【背景技術】
【０００２】
例えば、鍵盤楽器においては、特許文献１に記載されているように、楽器ケース内に鍵盤部が上方に露出して設けられ、この鍵盤部が開閉可能に覆う鍵盤蓋を前蓋と後蓋とを有し、この前蓋と後蓋とを楽器ケース内に収納した状態で、楽器ケースの下面に上向きに設けられたスピーカの音を楽器ケースの斜め前側上方に向けて放音させるものが知られている。
【先行技術文献】
【特許文献】
【０００３】
【特許文献１】特開２０１４−１６０２１９号公報
【０００４】
この場合、鍵盤蓋は、前蓋と後蓋とが連結部よって折れ曲がり可能に連結され、鍵盤部を開放させて前蓋と後蓋とが連結部で折れ曲がって楽器ケース内に収納された際に、前蓋が楽器ケース内の上部下側に配置され、後蓋が楽器ケースの背面に沿って垂れ下がって配置された状態で、連結部によって前蓋に連結された後蓋の端部が楽器ケースの背面に接触して、後蓋と楽器ケースの背面との間を塞ぐようになっている。
【０００５】
このため、この鍵盤蓋は、前蓋と後蓋とが連結部よって連結される前蓋の後端部に放音切欠き部を設け、前蓋と後蓋とが連結部で折れ曲がって楽器ケース内に収納されて、後蓋が楽器ケースの背面との間を塞いだ際に、前蓋の後端部に設けられた放音切欠き部が開放され、この開放された放音切欠き部を通してスピーカの音が楽器ケースの上方から放音されるようになっている。
【発明の概要】
【発明が解決しようとする課題】
【０００６】
このような鍵盤楽器では、鍵盤蓋を楽器ケース内に収納した際に、連結部によって前蓋に連結された後蓋の端部が楽器ケースの背面に接触して、後蓋と楽器ケースの背面との間を塞いでしまうため、後蓋の後側に送り込まれたスピーカの音が詰まり、スピーカの音を良好に放音させることができないという問題がある。
【０００７】
また、この鍵盤楽器では、鍵盤蓋を楽器ケース内に収納した際に、前蓋の後端部に設けられた放音切欠き部が開放され、後蓋の前側に送り込まれたスピーカの音が前蓋の放音切欠き部を通して楽器ケースの上方から放音されるだけであるか、スピーカの音を楽器ケースの上方に十分に放音させることができないため、音響性能を十分に確保することができないという問題がある。
【０００８】
この発明が解決しようとする課題は、スピーカの音を良好に放音させることができる鍵盤楽器を提供することである。
【課題を解決するための手段】
【０００９】
この発明は、楽器ケースと、鍵盤部の指示によって音を発するスピーカと、前記鍵盤部の上側を開閉自在の鍵盤蓋と、を備え、前記鍵盤蓋は、前記鍵盤部を開放させた状態において、前記スピーカから発せられた音が、前記鍵盤蓋の後側に設けられる前記楽器ケース内の第１音響空間を介して前記楽器ケース外に出力するとともに、前記鍵盤蓋の前側に設けられる前記楽器ケース内の第２音響空間を介して前記楽器ケース外に出力するように配置されていることを特徴とする鍵盤楽器である。
【発明の効果】
【００１０】
この発明によれば、スピーカの音を良好に放音させることができる。
【図面の簡単な説明】
【００１１】
【図１】この発明を電子鍵盤楽器に適用した一実施形態を示した平面図である。
【図２】図１に示された電子鍵盤楽器の正面図である。
【図３】図１に示された電子鍵盤楽器のＡ−Ａ矢視における拡大断面図である。
【図４】図３に示された電子鍵盤楽器において、鍵盤蓋を開いて楽器ケース内に収納した状態を示した拡大断面図である。
【図５】図１に示された電子鍵盤楽器のＢ−Ｂ矢視において、鍵盤蓋を開いて楽器ケース内に収納した状態を示した拡大断面図である。
【図６】図３に示された第１スピーカの第１スピーカボックスを示した拡大底面図である。
【図７】図５に示された第２スピーカおよび第２スピーカボックスを分解して示した拡大斜視図である。
【図８】図３に示された楽器ケースの天板に設けられた第１放音孔のディフューザを示し、（ａ）はその第１変形例を示した要部の拡大断面図、（ｂ）はその第２変形例を示した要部の拡大断面図である。
【図９】図５に示された電子鍵盤楽器において、第２スピーカの上側にディフューザを設けた第３変形例を示し、（ａ）はその電子鍵盤楽器の拡大断面図、（ｂ）はその電子鍵盤楽器に組み込まれる第２スピーカとディフューザとを分解して示した拡大斜視図である。
【図１０】図５に示された電子鍵盤楽器において、第２スピーカの取付向きを変えた第４変形例を示した拡大断面図である。
【発明を実施するための形態】
【００１２】
以下、図１〜図７を参照して、この発明を電子鍵盤楽器に適用した一実施形態について説明する。
この電子鍵盤楽器は、図１〜図３に示すように、楽器ケース１を備えている。この楽器ケース１は、前側上部（図３では左側上部）が開放された横長のほぼ箱形状に設けられている。
【００１３】
すなわち、この楽器ケース１は、図１〜図３に示すように、底板２と、この底板２の前端部（図３では左端部）に起立して設けられた前板３と、底板２の後端部（図３では右端部）に起立して設けられた背面板４と、底板２の左右両側部（図３では紙面の表裏面の両側部）に起立して設けられた一対の側板５と、この一対の側板および背面板４の上部に配置された天板６と、を備えている。
【００１４】
この場合、前板３は、図１〜図３に示すように、背面板４の高さのほぼ半分程度の高さで設けられている。また、一対の側板５は、楽器全体を支持する脚部を兼ねるものであり、底板２の下側に延設されている。これら脚部を兼ねる、一対の側板５の下部には、図２に示すように、複数のフットペダルＰが設けられている。
【００１５】
また、これら一対の側板５は、図１〜図３に示すように、その前端部（図３では左端部）が前板３よりも少し高く設けられ、前後方向（図３では左右方向）におけるほぼ中間部から後部側（図３では左側）が背面板４と同じ高さで設けられ、前端部から中間部に向けて後部上がり（図３では右上がり）に傾斜する傾斜部に設けられている。
【００１６】
天板６は、図１〜図３に示すように、一対の側板５の後部側の上部と背面板４の上部とに配置されている。この天板６には、図１に示すように、後述する第１放音孔７と第２放音孔８とが上下に貫通して設けられている。これにより、楽器ケース１は、一対の側板５の各傾斜部に対応する前部側が上方に開放された横長のほぼ箱形状に設けられている。
【００１７】
この楽器ケース１内には、図１〜図３に示すように、鍵盤部１０が設けられており、この鍵盤部１０の一側部（図１では左側部）には、図１に示すように、スイッチ部ＳＷが設けられている。このスイッチ部ＳＷは、電源スイッチ、音量スイッチ、音色選択スイッチなどの電子鍵盤楽器に必要な各種のスイッチを備えている。
【００１８】
鍵盤部１０は、図１〜図３に示すように、楽器ケース１の底板２上に配置された鍵盤シャーシ１１と、この鍵盤シャーシ１１上に上下方向に回転可能な状態で並列に配列された複数の鍵１２と、これら複数の鍵１２の押鍵操作に応じて回転して複数の鍵１２それぞれにアクション荷重を付与する複数のハンマー部材１３と、を備えている。
【００１９】
この場合、ハンマー部材１３は、図３に示すように、鍵１２が押鍵操作されていない初期状態のときに、鍵盤シャーシ１１の後部下側に位置する楽器ケース１の底板２上に設けられた下限ストッパ１４に当接するようになっている。また、このハンマー部材１３は、鍵１２の押鍵操作によって回転した際に、楽器ケース１の底部２の上方に位置する鍵盤シャーシ１１の後部下面に設けられた上限ストッパ１５に当接するようになっている。
【００２０】
この鍵盤部１０は、図３に示すように、複数の鍵１２が楽器ケース１の前部側から上方に露呈した状態で、押鍵操作されるようになっている。また、この鍵盤部１０は、複数の鍵１２がそれぞれ押鍵操作された際に、鍵盤シャーシ１１上に設けられたスイッチ部（図示せず）がそれぞれスイッチ動作してスイッチ信号を出力するようになっている。この場合、楽器ケース１内には、コンソールパネル９が鍵盤部１０の後部に位置する上側から後方に向けて設けられている。
【００２１】
一方、楽器ケース１内には、図３〜図５に示すように、鍵盤部１０の上側を覆う鍵盤蓋１６が蓋ガイド部１７によって開閉可能に設けられている。この鍵盤蓋１６は、前蓋１８と後蓋１９とを有し、これら前蓋１８と後蓋１９とが蝶番２０によって折り曲げ可能に連結されるようになっている。
【００２２】
この場合、前蓋１８の前端部には、図３〜図５に示すように、一対の側板５の各内面に向けて突出するガイド軸１８ａが支持脚１８ｂを介して設けられている。また、後蓋１９の前端部には、一対の側板５の各内面に向けて突出するガイド軸１９ａが支持脚１９ｂを介して設けられている。この後蓋１９の後端部には、軸取付部１９ｃが取り付けられている。
【００２３】
蓋ガイド部１７は、図３〜図５に示すように、鍵盤蓋１６が鍵盤部１０の上側を覆った際に前蓋１８と後蓋１９とをほぼ平板状に配置させ、かつ鍵盤蓋１６が鍵盤部１０を上側に開放させて楽器ケース１内の後部側に収納された際に前蓋１８と後蓋１９とを蝶番２０で折り曲げて、前蓋１８を天板６の下面に接近させ、かつ後蓋１９を背面板４から離れた状態で垂下させるようになっている。
【００２４】
すなわち、この蓋ガイド部１７は、図３〜図５に示すように、ガイドレール部２１とガイド部材２２とを有している。ガイドレール部２１は、一対の側板５の内面に前板３の上側からコンソールパネル９の上側を経て背面板４に向けて設けられている。このガイドレール部２１は、鍵盤蓋１６の前蓋１８のガイド軸１８ａと後蓋１９のガイド軸１９ａとをそれぞれガイドするようになっている。
【００２５】
これにより、ガイドレール部２１は、図３に示すように、前蓋１８と後蓋１９とが鍵盤部１０の上側を覆った際に、前蓋１８のガイド軸１８ａをガイドレール部２１の前端部で支持し、かつ後蓋１９のガイド軸１９ａをガイドレール部２１における鍵盤部１０のほぼ中間部に対応する箇所で支持し、この状態で前蓋１８と後蓋１９とを前下りに傾斜させた状態で平板状に配置させるようになっている。
【００２６】
また、このガイドレール部２１は、図４および図５に示すように、鍵盤蓋１６が鍵盤部１０を上側に開放させて楽器ケース１内の後部側に収納された際に、前蓋１８のガイド軸１８ａをガイドレール部２１における天板６の前端部の下側に対応する箇所で支持し、かつ後蓋１９のガイド軸１９ａをガイドレール部２１の後端部で支持し、この状態で前蓋１８を天板６の下側に接近させて配置させ、かつ後蓋１９を前蓋１８に対して蝶番２０で折り曲げて、背面板４から離れた状態で背面板４と鍵盤部１０の後部との間に垂下させるようになっている。
【００２７】
一方、ガイド部材２２は、図３〜図５に示すように、鍵盤部１０の後部の下側付近に位置する箇所の側板５の内面に設けられた支持軸２３と、この支持軸２３に回転自在に取り付けられたアーム部２４と、このアーム部２４の先端と後蓋１９の軸取付部１９ｃとを回転可能に連結する連結軸２５と、を備えている。このガイド部材２２は、支持軸２３を中心にアーム部２４が上下方向に回転して、連結軸２５を上下方向に回転移動させることにより、後蓋１９の後端部をガイドレール部２１に対応する上部と鍵盤部１０の後側下部との間で上下方向に回転移動させるようになっている。
【００２８】
これにより、蓋ガイド部１７は、図３に示すように、鍵盤蓋１６の前蓋１８と後蓋１９とが鍵盤部１０の上側を覆って閉じた際に、ガイド部材２２のアーム部２４が支持軸２３を中心に反時計回りに回転して起立することにより、後蓋１９の後端部に位置する連結軸２５をガイドレール部２１に対応する位置に支持して、前蓋１８と後蓋１９とを前下がりに傾斜させた状態で平板状に配置させるようになっている。
【００２９】
また、この蓋ガイド部１７は、図４および図５に示すように、鍵盤蓋１６が開いて鍵盤部１０を上側に開放させて楽器ケース１内の後部側に収納された際に、ガイド部材２２のアーム部２４が支持軸２３を中心に時計回りに回転して後部下りに傾斜することにより、後蓋１９の後端部に位置する連結軸２５を鍵盤部１０の下部後方に支持するようになっている。
【００３０】
この場合、ガイド部材２２は、図３〜図５に示すように、アーム部２４の中間部に設けられたピニオン２６と、側板５の内面に設けられてピニオン２６のピニオン軸２６ａをガイドする円弧状のガイド溝２７と、側板５の内面に設けられてピニオン２６が噛み合って回転移動する円弧状のラック２８と、を備えている。
【００３１】
これにより、ガイド部材２２は、図３〜図５に示すように、鍵盤蓋１６が楽器ケース１内に収納される際に、ピニオン２６がラック２８に噛み合って上部側から下部側に向けて回転移動すると共に、ピニオン２６のピニオン軸２６ａがガイド溝２７によってガイドされて上部側から下部側に向けて移動するようになっている。
【００３２】
ところで、楽器ケース１には、図１〜図５に示すように、フルレンジの第１スピーカ３０と高音用の第２スピーカ３１とが鍵盤部１０の後部側に位置した状態で設けられている。すなわち、第１スピーカ３０は、楽器ケース１の底板２の下面における両側部にそれぞれ上向きに設けられている。この場合、第１スピーカ３０は、楽器ケース１の底板２の下面に設けられた防塵ネット（図示せず）を介して、底板２の下面にその中間部から後端部に亘って配置されている。
【００３３】
この第１スピーカ３０は、図２〜図４に示すように、その外周部が第１スピーカボックス３２によって覆われている。この第１スピーカボックス３２は、図６に示すように、その底部および外周面に多数の放音用のスリット孔３２ａが設けられている。これにより、第１スピーカボックス３２は、第１スピーカ３０で発生した楽音を多数の放音用のスリット孔３２ａからその下側および前後左右方向に向けて放音させることにより、楽音に広がりをもたせるようになっている。
【００３４】
この場合、第１スピーカ３０に対応する箇所における楽器ケース１の底板２には、図３および図４に示すように、第１スピーカ３０で発生した楽音を楽器ケース１内に取り込むための音取込み孔３３が上下に貫通して設けられている。この音取込み孔３３は、第１スピーカ３０の前部側に位置する前側孔３３ａと、第１スピーカ３０の後部側に位置する後側孔３３ｂと、を備えている。
【００３５】
この場合、前側孔３３ａと後側孔３３ｂとの間に位置する底板２は、図３および図４に示すように、鍵盤シャーシ１１の後端部とハンマー部材１３の下限ストッパ１４とが配置される補強用の載置部２ａに設けられている。この載置部２ａは、ハンマー部材１３が当接する下限ストッパ１４と鍵盤シャーシ１１の後端部とを強固に支持するためのものである。
【００３６】
音取込み孔３３の前側孔３３ａは、図４に示すように、鍵盤部１０の後端部よりも前側に設けられ、第１スピーカ３０で発生した楽音を楽器ケース１内の鍵盤部１０内に向けて放音させるようになっている。これにより、第１スピーカ３０は、発生した楽音が音取込み孔３３の前側孔３３ａから鍵盤部１０内に取り込まれ、この取り込まれた楽音が鍵盤部１０の複数の鍵１２の間および複数のハンマー部材１３の間を通して楽器ケース１の斜め前側上方に向けて放音されるようになっている。
【００３７】
後側孔３３ｂは、図４に示すように、鍵盤部１０の後端部と楽器ケース１の背面板４との間のほぼ中間部に位置して設けられ、鍵盤蓋１６が鍵盤部１０を開放させた状態における後蓋１９の下側に対応するようになっている。これにより、後側孔３３ｂは、第１スピーカ３０で発生した楽音が楽器ケース１の背面板４と鍵盤部１０の後端部との間に取り込まれ、この取り込まれた楽音が楽器ケース１内の後部に垂れ下がった後蓋１９によってその前側と後側とに分かれるようになっている。
【００３８】
この場合、楽器ケース１内の後部に垂れ下がった後蓋１９は、図４および図５に示すように、楽器ケース１の背面板４から離れた状態で配置されることにより、後蓋１９と背面板４との間に第１音響空間Ｓ１が設けられるようになっている。また、楽器ケース１内の後部に垂れ下がった後蓋１９は、鍵盤部１０の後端部から離れた状態で配置されることにより、鍵盤部１０の後端部と後蓋１９との間に第２音響空間Ｓ２が設けられるようになっている。
【００３９】
すなわち、この第２音響空間Ｓ２は、図４および図５に示すように、鍵盤部１０の後端部と後蓋１９と側板５とで囲われた空間と、鍵盤部１０の後部上側と前蓋１８と側板５とで囲われた空間とを有している。一方、第１音響空間Ｓ１は、後蓋１９と背面板４と左右両側の側板５とで囲われた空間である。この第１音響空間Ｓ１は、その前後方向の間隔が第１音響空間Ｓ１の下部側から上部側に向けて次第に狭くなるように設けられている。
【００４０】
このため、この第１音響空間Ｓ１は、図４および図５に示すように、フルレンジの第１スピーカ３０と高音用の第２スピーカ３１とで発生した楽音を下部側から上部側に向けて導くことにより、楽音の音圧を高めながら導き、この音圧が高められた楽音を天板６の第１放音孔７と第２放音孔８とから楽器ケース１の上方の音響領域Ｅに向けて放音させるようになっている。この音響領域Ｅは、楽器ケース１の上部後方に位置し、放音された楽音に奥行きをもたせるための仮想空間である。
【００４１】
この場合、第１放音孔７は、図１および図４に示すように、第１スピーカ３０が対応する第１音響空間Ｓ１の上方に設けられている。第２放音孔８は、図１および図５に示すように、第２スピーカ３１が対応する第１音響空間Ｓ１の上方に設けられている。これら第１放音孔７と第２放音孔８とは、その前後方向の間隔が第１音響空間Ｓ１の上部における前後方向の間隔、つまり最も狭い間隔よりも狭く設けられ、かつ各左右方向の長さが第１スピーカ３０の外径とほぼ同じ長さで設けられている。
【００４２】
このため、第１スピーカ３０は、図４に示すように、発生した楽音が音取込み孔３３の後側孔３３ｂから楽器ケース１内の後部側に取り込まれた際に、その取り込まれた楽音のうち、後蓋１９によってその前側に分かれた楽音が、鍵盤部１０の後端部と後蓋１９との間、および楽器ケース１の天板６の下側に位置する前蓋１８と鍵盤部１０の後部上側との間に設けられた第２音響空間Ｓ２から楽器ケース１の斜め前側上方に向けて放音されるようになっている。
【００４３】
この場合、鍵盤部１０の後部上側に配置されたコンソール９には、多数の放音孔（図示せず）が設けられている。これにより、コンソール９は、図４に示すように、天板６の下側に位置する前蓋１８と鍵盤部１０の後部上側との間に送り込まれた楽音がコンソール９で遮られることがなく、コンソール９に設けられた多数の放音孔を通して楽器ケース１の斜め前側上方に向けて放音されるようになっている。
【００４４】
また、第１スピーカ３０は、図４に示すように、発生した楽音が音取込み孔３３の後側孔３３ｂから楽器ケース１内の後部側に取り込まれた際に、その取り込まれた楽音のうち、後蓋１９によってその後側に分かれた楽音が鍵盤部１０の後端部と後蓋１９との間の第１音響空間Ｓ１を通り、楽器ケース１の天板６に設けられた第１放音孔７から楽器ケース１の上方の音響領域Ｅに向けて放音されるようになっている。
【００４５】
一方、第２スピーカ３１は、図１および図５に示すように、第１スピーカ３０の近傍に位置する楽器ケース１の底板２における両側部にそれぞれ上向きに設けられている。この第２スピーカ３１は、鍵盤部１０の後端部と楽器ケース１の背面板４との間に位置して設けられ、鍵盤蓋１６が鍵盤部１０を開放させた状態における後蓋１９の下側に対応するようになっている。
【００４６】
すなわち、この第２スピーカ３１は、図７に示すように、第２スピーカボックス３４内に配置され、この第２スピーカボックス３４が鍵盤部１０の後端部と楽器ケース１の背面板４との間に位置する底板２の取付孔３５内に取り付けられ、この状態で楽器ケース１内に上向きに配置されている。このため、この第２スピーカ３１は、発生した楽音が楽器ケース１内の後部に垂れ下がった後蓋１９によってその前側と後側とに分かれるようになっている。
【００４７】
これにより、第２スピーカ３１は、図５に示すように、発生した楽音のうち、後蓋１９によってその前側に分かれた楽音が、鍵盤部１０の後端部と後蓋１９との間、および楽器ケース１の天板６の下側に位置する前蓋１８と鍵盤部１０の後部上側との間に設けられた第２音響空間Ｓ２、およびその間に配置されたコンソール９の多数の放音孔（図示せず）から楽器ケース１の斜め前側上方に向けて放音されるようになっている。
【００４８】
また、この第２スピーカ３０は、図５に示すように、発生した楽音のうち、後蓋１９によってその後側に分かれた楽音が鍵盤部１０の後端部と後蓋１９との間の第１音響空間Ｓ１を通り、楽器ケース１の天板６に設けられた第２放音孔８から楽器ケース１の上方の音響領域Ｅに向けて放音されるようになっている。
【００４９】
次に、このような電子鍵盤楽器の作用について説明する。
この電子鍵盤楽器で演奏をする場合には、まず、鍵盤蓋１６を開いて鍵盤部１０を上側に開放させる。このときには、前蓋１８の前端部を持ち上げて後方に向けて移動させると、前蓋１８のガイド軸１８ａと後蓋１９のガイド軸１８ａとがガイドレール部２１に沿って後方に移動すると共に、ガイド部材２２のアーム部２４が支持軸２３を中心に時計回りに回転して、前蓋１８と後蓋１９とが蝶番２０で徐々に折れ曲がりながら、後蓋１９の後部が鍵盤部１０の下部後方に向けて移動する。
【００５０】
そして、前蓋１８のガイド軸１８ａが天板６の前端部の下側に位置するガイドレール部２１の箇所に位置し、後蓋１９のガイド軸１８ａがガイドレール部２１の後端部に位置し、この後蓋１９の後端部に位置する軸取付部１９ｃの連結軸２５が鍵盤部１０の下部後方に位置すると、前蓋１８が天板６の下側に接近してほぼ平行な状態で配置され、かつ後蓋１９が前蓋１８に対して蝶番２０で折り曲げられて、背面板４と鍵盤部１０の後端部との間のほぼ中間部に垂下された状態で配置される。
【００５１】
この状態では、鍵盤部１０が上方に開放されて複数の鍵１２が上側に露呈するので、演奏が可能な状態になる。そして、鍵盤部１０の複数の鍵１２を押鍵操作して演奏すると、その押鍵操作に応じた楽音がフルレンジの第１スピーカ３０と高音用の第２スピーカ３１とから発生される。
【００５２】
この場合、フルレンジの第１スピーカ３０で発生した楽音は、第１スピーカボックス３２の放音用のスリット孔３２ａからその下側および前後左右方向に広がりをもって放音されると共に、楽器ケース１の底板２に設けられた音取込み孔３３から楽器ケース１内に取り込まれ、この取り込まれた楽音が楽器ケース１の斜め前側上方と楽器ケース１の上方とに放音される。
【００５３】
すなわち、第１スピーカ３０で発生した楽音が音取込み孔３３の前側孔３３ａから鍵盤部１０内に取り込まれた際には、図４に示すように、その取り込まれた楽音が鍵盤部１０の複数の鍵１２の間および複数のハンマー部材１３の間を通り、楽器ケース１の斜め前側上方に向けて放音される。
【００５４】
また、第１スピーカ３０で発生して音取込み孔３３の後側孔３３ｂから楽器ケース１内の後部側に取り込まれた楽音のうち、後蓋１９によってその前側に分かれた楽音は、図４に示すように、鍵盤部１０の後端部と後蓋１９との間、および楽器ケース１の天板６の下側に位置する前蓋１８と鍵盤部１０の後部上側との間に設けられた第２音響空間Ｓ２、およびその間に配置されたコンソール９の多数の放音孔（図示せず）から楽器ケース１の斜め前側上方に向けて放音される。
【００５５】
また、第１スピーカ３０で発生して後蓋１９によってその後側に分かれた楽音は、図４に示すように、鍵盤部１０の後端部と後蓋１９との間に設けられた第１音響空間Ｓ１を通り、楽器ケース１の天板６に設けられた第１放音孔７から楽器ケース１の上方の音響領域Ｅに向けて放音される。
【００５６】
このときには、第１音響空間Ｓ１の前後方向の間隔が第１音響空間Ｓ１の下部側から上部側に向けて次第に狭く設けられていることにより、この第１音響空間Ｓ１によって楽音の音圧が高められる。また、第１放音孔７の前後方向の間隔が第１音響空間Ｓ１の上部における前後方向の間隔よりも狭く設けられていることにより、これによっても楽音の音圧が高められ、この音圧が高められた楽音が楽器ケース１の上部後方の音響領域Ｅに向けて放音される。
【００５７】
このように、第１スピーカ３０で発生した楽音が楽器ケース１の上部後方の音響領域Ｅに向けて放音されると、この放音された楽音が音響領域Ｅによって楽器ケース１の奥行きよりも後方に離れた遠くで鳴っているような状態がつくられることにより、奥行きのある音響効果が実現される。
【００５８】
一方、高音用の第２スピーカ３１で発生した楽音のうち、後蓋１９によってその前側に分かれた楽音は、図５に示すように、鍵盤部１０の後端部と後蓋１９との間、および楽器ケース１の天板６の下側に位置する前蓋１８と鍵盤部１０の後部上側との間に設けられた第２音響空間Ｓ２、およびその間に配置されたコンソール９の多数の放音孔（図示せず）から楽器ケース１の斜め前側上方に向けて放音される。
【００５９】
また、後蓋１９によってその後側に分かれた楽音は、図５に示すように、鍵盤部１０の後端部と後蓋１９との間の第１音響空間Ｓ１を通り、楽器ケース１の天板６に設けられた第２放音孔８から楽器ケース１の上部後方の音響領域Ｅに向けて放音される。
【００６０】
このときにも、第１音響空間Ｓ１の前後方向の間隔が第１音響空間Ｓ１の下部側から上部側に向けて次第に狭く設けられていることにより、この第１音響空間Ｓ１によって楽音の音圧が高められ、かつ第２放音孔８の前後方向の間隔が第１音響空間Ｓ１の上部における前後方向の間隔よりも狭く設けられていることにより、これによっても楽音の音圧が高められ、この音圧が高められた楽音が楽器ケース１の上部後方の音響領域Ｅに向けて放音される。
【００６１】
このように、第２スピーカ３１で発生した楽音が楽器ケース１の上部後方の音響領域Ｅに向けて放音されると、第１スピーカ３０で発生した楽音と同様、第２スピーカ３１の楽音が音響領域Ｅによって楽器ケース１の奥行きよりも後方に離れた遠くで鳴っているような状態がつくられることにより、奥行きのある音響効果が実現される。
【００６２】
ところで、演奏を行わないときには、鍵盤蓋１６を閉じて鍵盤部１０を覆う。このときには、鍵盤蓋１６の前蓋１８の前端部を楽器ケース１の前側に向けて引き出すと、前蓋１８のガイド軸１８ａと後蓋１９のガイド軸１８ａがガイドレール部２１に沿って前方に移動すると共に、ガイド部材２２のアーム部２４が支持軸２３を中心に反時計回りに回転し、前蓋１８と後蓋１９とが蝶番２０で徐々に折れ曲がりながら、後蓋１９の後端部がガイドレール部２１に対応する箇所に移動する。
【００６３】
そして、前蓋１８のガイド軸１８ａが楽器ケース１の前板３上に位置するガイドレール部２１の前端部に位置し、後蓋１９のガイド軸１８ａがガイドレール部２１の中間部に位置し、後蓋１９の後端部に位置する軸取付部１９ｃの連結軸２５がガイドレール部２１に対応する箇所に位置すると、前蓋１８と後蓋１９とが前下がりに傾斜した状態で平板状に配置される。これにより、鍵盤部１０が前蓋１８と後蓋１９とによって覆われる。
【００６４】
このように、この電子鍵盤楽器によれば、楽器ケース１と、鍵盤部１０の指示によって音を発する第１スピーカ３０および第２スピーカ３１と、鍵盤部１０の上側を開閉自在の鍵盤蓋１６と、を備え、鍵盤蓋１６は、鍵盤部１０を開放させた状態において、第１スピーカ３０および第２スピーカ３１から発せられた音が、鍵盤蓋１６の後側に設けられる楽器ケース１内の第１音響空間Ｓ１と、鍵盤蓋１６の前側に設けられる楽器ケース１内の第２音響空間Ｓ２とを介して楽器ケース１外に放音されるように配置されていることにより、第１スピーカ３０と第２スピーカ３１との各楽音を良好に放音させることができる。
【００６５】
すなわち、この電子鍵盤楽器では、楽器ケース１内に収納された鍵盤蓋１６によって、第１スピーカ３０と第２スピーカ３１との各楽音を良好に後蓋１９の前側の第２音響空間Ｓ２と後側の第１音響空間Ｓ１とに分けることができるので、第１スピーカ３０と第２スピーカ３１との各楽音を楽器ケース１の前側と上方とに向けて良好に放音させることができ、これにより第１スピーカ３０と第２スピーカ３１との各楽音を効率良く良好に放音させることができるので、音響性能を向上させることができる。
【００６６】
この場合、この電子鍵盤楽器では、鍵盤蓋１６が、前蓋１８と後蓋１９とを備え、鍵盤部１０を開放させた状態において、後蓋１９が略垂直状態に配置されると共に、前蓋１８が略水平状態に配置されることにより、楽器ケース１の背面板４と後蓋１９との間に第１音響空間Ｓ１を設けることができると共に、鍵盤部１０と鍵盤蓋１６との間に第２音響空間Ｓ２を設けることができ、この第１音響空間Ｓ１と第２音響空間Ｓ２によって第１スピーカ３０と第２スピーカ３１との各楽音を楽器ケース１の外部に良好に導くことができるので、音響性能を向上させることができる。
【００６７】
また、この電子鍵盤楽器では、楽器ケース１の上部に第１放音孔７と第２放音孔８が第１音響空間Ｓ１の上方に対応して設けられていることにより、第１スピーカ３０と第２スピーカ３１との各楽音が第１音響空間Ｓ１によって導かれた際に、第１スピーカ３０と第２スピーカ３１との各楽音を楽器ケース１の上部に設けられた第１放音孔７と第２放音孔８とから楽器ケース１の上方に効率良く良好に放音させることができる。
【００６８】
この場合、第１音響空間Ｓ１は、その前後方向の間隔が第１音響空間Ｓ１の下部側から上部側に向かうに従って次第に狭く設けられていることにより、第１スピーカ３０と第２スピーカ３１とで発生した各楽音を第１音響空間Ｓ１によって導く際に、楽音の音圧を効率良く良好に高めることができる。
【００６９】
また、第１放音孔７と第２放音孔８とは、前後方向の間隔が第１音響空間Ｓ１の上部側における前後方向の間隔よりも狭く設けられていることにより、第１音響空間Ｓ１によって音圧が高められた楽音の音圧を更に高めて第１放音孔７と第２放音孔８とから楽器ケース１の上部後方の音響領域Ｅに良好に放音させることができる。
【００７０】
すなわち、第１スピーカ３０と第２スピーカ３１とで発生した楽音が楽器ケース１の上部後方の音響領域Ｅに向けて放音されると、この放音された楽音が音響領域Ｅによって楽器ケース１の奥行きよりも後方に離れた遠くで鳴っているような状態をつくりだすことができるので、奥行きのある音響効果を実現させることができる。
【００７１】
この場合、第１スピーカ３０は、フルレンジのスピーカであり、楽器ケース１の底板２の下面に上向きに設けられており、楽器ケース１の底板２には、第１スピーカ３０の楽音を楽器ケース１の内部に取り込む音取込み孔３３が、第１スピーカ２０に対応して設けられていることにより、第１スピーカ３０で発生した楽音を底板２の音取込み孔３３から楽器ケース１内に確実にかつ良好に取り込むことができ、この取り込んだ楽音を楽器ケース１の斜め前側上方および楽器ケース１の上方に放音させることができる。
【００７２】
すなわち、音取込み孔３３は、前側孔３３ａと後側孔３３ｂとを備えていることにより、前側孔３３ａから第１スピーカ３０で発生した楽音を取り込んだ際に、その取り込んだ楽音を鍵盤部１０の複数の鍵１２の間および複数のハンマー部材１３の間を通して楽器ケース１の斜め前側上方に向けて放音させることができる。また、この音取込み孔３３は、後側孔３３ｂから第１スピーカ３０の楽音を取り込んだ際に、その取り込んだ楽音を鍵盤部１０が開放された状態における後蓋１９でその前側と後側とに確実にかつ良好に分けることができる。
【００７３】
このため、この電子鍵盤楽器では、後蓋１９によってその前側に分かれた楽音を、鍵盤部１０の後端部と後蓋１９との間、および楽器ケース１の天板６の下側に位置する前蓋１８と鍵盤部１０の後部上側との間に設けられた第２音響空間Ｓ２から楽器ケース１の斜め前側上方に向けて良好に放音させることができる。
【００７４】
また、この電子鍵盤楽器では、後蓋１９によってその後側に分かれた楽音を、鍵盤部１０の後端部と後蓋１９との間に設けられた第１音響空間Ｓ１で音圧を高め、この音圧が高められた楽音を楽器ケース１の天板６に設けられた第１放音孔７から更に音圧を高めて楽器ケース１の上部後方の音響領域Ｅに向けて良好に放音させることができる。
【００７５】
一方、第２スピーカ３１は、高音用のスピーカであり、楽器ケース１の内部に上向きに配置されていることにより、第２スピーカ３１で発生した楽音を楽器ケース１の斜め前側上方および楽器ケース１の上方に放音させることができる。すなわち、第２スピーカ３１は、鍵盤部１０が開放された状態における後蓋１９の下側に配置されることにより、第２スピーカ３１で発生した楽音を後蓋１９でその前側と後側とに確実にかつ良好に分けることができる。
【００７６】
このため、この第２スピーカ３１は、後蓋１９によってその前側に分かれた楽音を、鍵盤部１０の後端部と後蓋１９との間、および楽器ケース１の天板６の下側に位置する前蓋１８と鍵盤部１０の後部上側との間に設けられた第２音響空間Ｓ２から楽器ケース１の斜め前側上方に向けて良好に放音させることができる。
【００７７】
また、この第２スピーカ３１は、後蓋１９によってその後側に分かれた楽音を、鍵盤部１０の後端部と後蓋１９との間に設けられた第１音響空間Ｓ１で音圧を高め、この音圧が高められた楽音を楽器ケース１の天板６に設けられた第２放音孔８から更に音圧を高めて楽器ケース１の上部後方の音響領域Ｅに向けて良好に放音させることができる。
【００７８】
（変形例）
次に、図８（ａ）および図８（ｂ）を参照して、この発明を電子鍵盤楽器に適用した変形例について説明する。なお、図１〜図７に示された実施形態と同一部分には同一符号を付して説明する。
まず、図８（ａ）に示された第１変形例は、楽器ケース１の天板６に設けられた第１放音孔７に第１のディフューザ４０を設けたものであり、これ以外は上述した実施形態と同じになっている。
【００７９】
すなわち、この第１のディフューザ４０は、図８（ａ）に示すように、楽器ケース１の外部に向けて放音される楽音に指向性をもたせるためのものであり、第１放音孔７の上部外周に配置される枠状部４０ａと、この枠状部４０ａ内に前後方向に傾けて設けられた複数のフィン４０ｂと、を備えている。この場合、複数のフィン４０ｂは、前後方向の中間部を境にして、前側のフィン４０ｂが前側に向けて傾き、後側のフィン４０ｂが後側に向けて傾いて設けられている。
【００８０】
これにより、第１のディフューザ４０は、図８（ａ）に示すように、前後方向の中間部を境にして、前側が楽音を斜め前側上方に向けて放音させ、後側が楽音を斜め後側上方に向けて放音させることにより、楽器ケース１の外部に向けて放音される楽音に指向性をもたせることができるので、第１スピーカ３０の楽音に奥行きをもたせることができると共に、楽音の広がりを実現させることができる。
【００８１】
また、図８（ｂ）に示された第２変形例は、楽器ケース１の天板６に設けられた第１放音孔７に第２のディフューザ４１を設けたものである。すなわち、この第２のディフューザ４１は、楽器ケース１の外部に向けて放音される楽音に指向性をもたせるためのものである。
【００８２】
この第２のディフューザ４１は、図８（ｂ）に示すように、第１放音孔７の上部外周に配置される枠状部４１ａと、この枠状部４１ａ内に設けられた逆三角形のフィン４１ｂとを備えている。この場合、逆三角形のフィン４１ｂは、枠状部４１ａの前後方向の中間部に設けられ、楽音を斜め前側上方と斜め後側上方とに向けて放音させるようになっている。
【００８３】
これにより、第２のディフューザ４１は、図８（ｂ）に示すように、前後方向の中間部を境にして、楽音を斜め前側上方と斜め後側上方とに分けて放音させることにより、楽器ケース１の外部に向けて放音される楽音に指向性をもたせることができるので、第１スピーカ３０の楽音に奥行きをもたせることができると共に、楽音の広がりを実現させることができる。
【００８４】
なお、上述した第１変形例と第２変形例とでは、第１放音孔７に第１のディフューザ４０と第２のディフューザ４１とを設けた場合について述べたが、この発明はこれに限らず、例えば第２放音孔８に第１のディフューザ４０と第２のディフューザ４１とを設けても良い。この場合にも、楽器ケース１の外部に向けて放音される楽音に指向性をもたせることができるので、第２スピーカ３１の楽音に奥行きをもたせることができると共に、高音の楽音を演奏者に届き易くすることができる。
【００８５】
次に、図９（ａ）および図９（ｂ）を参照して、この発明を電子鍵盤楽器に適用した第３変形例について説明する。この場合にも、図１〜図７に示された実施形態と同一部分に同一符号を付して説明する。
この第３変形例の電子鍵盤楽器は、図９（ａ）および図９（ｂ）に示すように、高音用の第２スピーカ３１の上面における前側ほぼ半分に第３のディフューザ４２を設けたものである。
【００８６】
この第３のディフューザ４２は、図９（ａ）および図９（ｂ）に示すように、楽器ケース１の内部に向けて放音される楽音に指向性をもたせるためのものである。すなわち、この第３のディフューザ４２は、鍵盤蓋１６が鍵盤部１０を開放させた状態における後蓋１９の下端部を境にして、第２スピーカ３１の上面における前側のほぼ半分に配置される枠状部４２ａと、この枠状部４２ａ内に前側に傾けて設けられた複数のフィン４２ｂと、を備えている。
【００８７】
これにより、第２スピーカ３１は、図９（ａ）に示すように、発生した楽音のうち、第３のディフューザ４２を通り抜けない楽音を鍵盤部１０の後端部と後蓋１９との間に設けられた第１音響空間Ｓ１によって楽器ケース１の天板６に設けられた第２放音孔８から上方に放音させることができる。
【００８８】
また、この第２スピーカ３１は、発生した楽音のうち、第３のディフューザ４２を通過した楽音を斜め前側上方に向けて放音させることにより、楽音に指向性をもたせることができるので、高音の楽音を演奏者に届き易くすることができる。
【００８９】
次に、図１０を参照して、この発明を電子鍵盤楽器に適用した第４変形例について説明する。この場合にも、図１〜図７に示された実施形態と同一部分に同一符号を付して説明する。
この第４変形例の電子鍵盤楽器では、高音用の第２スピーカ４３を楽器ケース１内に斜め前側上方に向けて傾けて配置したものである。
【００９０】
すなわち、この第２スピーカ４３は、図１０に示すように、楽器ケース１の底板２に設けられた取付孔３５内に配置された第２スピーカボックス３４内に斜め前側上方に向けて傾けて配置されている。この場合にも、第２スピーカ４３は、鍵盤蓋１６が鍵盤部１０を開放させて、後蓋１９が鍵盤部１０の後端部と楽器ケース１の背面板４との間のほぼ中間部に垂れ下がって配置された際に、その後蓋１９の下側に配置されるようになっている。
【００９１】
これにより、第２スピーカ４３は、図１０に示すように、発生した楽音が後蓋１９によってその前側と後側とに分かれるようになっていることにより、上述した実施形態と同様、第２スピーカ４３で発生した楽音を後蓋１９によってその前側と後側とに確実にかつ良好に分けることができる。
【００９２】
この場合、第２スピーカ４３は、後蓋１９によってその前側に分かれた楽音を、鍵盤部１０の後端部と後蓋１９との間、および楽器ケース１の天板６の下側に位置する前蓋１８と鍵盤部１０の後部上側との間に設けられた第２音響空間Ｓ２、および鍵盤部１０の内部から楽器ケース１の斜め前側上方に向けて放音させることができるので、高音の楽音を演奏者に届き易くすることができる。
【００９３】
また、この第２スピーカ４３は、後蓋１９によってその後側に分かれた楽音の音圧を、鍵盤部１０の後端部と後蓋１９との間に設けられた第１音響空間Ｓ１で高め、この音圧が高められた楽音を楽器ケース１の天板６に設けられた第２放音孔８から楽器ケース１の上方に向けて確実にかつ良好に放音させることができる。
【００９４】
以上、この発明の一実施形態およびその各変形例について説明したが、この発明は、これに限られるものではなく、特許請求の範囲に記載された発明とその均等の範囲を含むものである。
以下に、本願の特許請求の範囲に記載された発明を付記する。
【００９５】
（付記）
請求項１に記載の発明は、楽器ケースと、鍵盤部の指示によって音を発するスピーカと、前記鍵盤部の上側を開閉自在の鍵盤蓋と、を備え、前記鍵盤蓋は、前記鍵盤部を開放させた状態において、前記スピーカから発せられた音が、前記鍵盤蓋の後側に設けられる前記楽器ケース内の第１音響空間を介して前記楽器ケース外に出力するとともに、前記鍵盤蓋の前側に設けられる前記楽器ケース内の第２音響空間を介して前記楽器ケース外に出力するように配置されていることを特徴とする鍵盤楽器である。
【００９６】
請求項２に記載の発明は、楽器ケースと、鍵盤部の指示によって音を発するスピーカと、前記鍵盤部の上側を開閉自在の鍵盤蓋と、を備え、前記鍵盤蓋は、前記鍵盤部を開放させた状態において、前記スピーカから発せられた音が、前記鍵盤蓋の後側に設けられる前記楽器ケース内の第１音響空間を介して前記楽器ケース外に出力するように配置されていることを特徴とする鍵盤楽器である。
【００９７】
請求項３に記載の発明は、請求項１または請求項２に記載の鍵盤楽器において、前記楽器ケースの上部には、その上方に向けて前記スピーカから発せられた音を出力させる放音孔が、前記第１音響空間の上方に対応して設けられていることを特徴とする鍵盤楽器である。
【００９８】
請求項４に記載の発明は、請求項３に記載の鍵盤楽器において、前記放音孔は、前記楽器ケース外に出力する音に指向性をもたせるディフューザを備えていることを特徴とする鍵盤楽器である。
【００９９】
請求項５に記載の発明は、請求項１〜請求項４のいずれかに記載の鍵盤楽器において、前記第１音響空間は、その下部側から上部側に向かうに従って前後方向の間隔が次第に狭く設けられ、前記放音孔は、その前後方向の間隔が前記第１音響空間の上部側における前後方向の間隔よりも狭く設けられていることを特徴とする鍵盤楽器である。
【０１００】
請求項６に記載の発明は、請求項１〜請求項５のいずれかに記載の鍵盤楽器において、前記鍵盤蓋は、前蓋と後蓋とを備え、前記鍵盤部を開放させた状態において、前記鍵盤蓋の前記後蓋が略垂直状態に配置されると共に、前記鍵盤蓋の前記前蓋が略水平状態に配置されることを特徴とする鍵盤楽器である。
【０１０１】
請求項７に記載の発明は、請求項１〜請求項６のいずれかに記載の鍵盤楽器において、前記スピーカは、フルレンジの第１のスピーカと、高音用の第２のスピーカと、を備えていることを特徴とする鍵盤楽器である。
【０１０２】
請求項８に記載の発明は、請求項７に記載の鍵盤楽器において、前記第１のスピーカは、前記楽器ケースの底部の下面に上向きに設けられ、前記楽器ケースの前記底部には、前記第１のスピーカの音を前記楽器ケースの内部に取り込む音取込み孔が、前記第１のスピーカに対応して設けられていることを特徴とする鍵盤楽器である。
【０１０３】
請求項９に記載の発明は、請求項８に記載の鍵盤楽器において、前記音取込み孔は、前記鍵盤部の下側に位置する前側孔と、前記鍵盤部の後方で前記鍵盤蓋が前記鍵盤部を開放させた状態における前記後蓋の下側に位置する後側孔と、を備えていることを特徴とする鍵盤楽器である。
【０１０４】
請求項１０に記載の発明は、請求項７に記載の鍵盤楽器において、前記第２のスピーカは、前記楽器ケースの内部に上向き又は斜め前側上方に向けて傾いて配置されていることを特徴とする鍵盤楽器である。
【符号の説明】
【０１０５】
１  楽器ケース
２  底板
３  前板
４  背面板
５  側板
６  天板
７  第１放音孔
８  第２放音孔
１０  鍵盤部
１６  鍵盤蓋
１８  前蓋
１９  後蓋
２０  蝶番
３０  第１スピーカ
３１、４３  第２スピーカ
３２  第１スピーカボックス
３３  音取込み孔
３３ａ  前側孔
３３ｂ  後側孔
３４  第２スピーカボックス
４０、４１、４２  ディフューザ
Ｓ１  第１音響空間
Ｓ２  第２音響空間
【図１】
2018105928.tif 000003
【図２】
2018105928.tif 000004
【図３】
2018105928.tif 000005
【図４】
2018105928.tif 000006
【図５】
2018105928.tif 000007
【図６】
2018105928.tif 000008
【図７】
2018105928.tif 000009
【図８】
2018105928.tif 000010
【図９】
2018105928.tif 000011
【図１０】
2018105928.tif 000012